(57)【要約】【課題】画像／ＯＳＤ信号に最適な画質補正を施し、常に最良な画質で画像出力信号を得ることのできる、ＯＳＤ表示受信機を提供すること。【解決手段】画像／ＯＳＤ信号のＯＳＤ面積、ＯＳＤフオント、ＯＳＤ輝度レベル、画像信号輝度レベル、画像情報の動き情報を検出することで、画像／ＯＳＤ信号に最適な画質補正を施す。【選択図】      図１
2004221750.tif 000002
【特許請求の範囲】
【請求項１】
画像信号にＯＳＤ信号を重畳させる画像／ＯＳＤ処理装置から出力される画像／ＯＳＤ信号を、画像処理装置により画質を整え、画像出力信号を得るＯＳＤ表示受信機において、
前記画像／ＯＳＤ信号の暗部面積を検出する暗部検出回路と、
前記画像／ＯＳＤ信号の明部面積を検出する明部検出回路と、
前記暗部検出回路の検出結果と前記明部検出回路の検出結果とを比較する第１の輝度レベル比較回路と、
前記画像／ＯＳＤ信号の黒面積を検出する黒検出回路と、
前記黒検出回路の検出結果と前記第１の輝度レベル比較回路の比較結果とを比較する第２の輝度レベル比較回路と、
前記画像出力信号の明るさを検出し、前記画像出力信号の明るさに応じて輝度レベルをコントロールするＡＢＬ回路と、
前記ＡＢＬ回路の検出結果と前記第２の輝度レベル比較回路の比較結果とを比較する第３の輝度レベル比較回路とを、
有し、
前記第３の輝度レベル比較回路で得られた輝度レベル検出信号を画像補正レベル制御回路で重み付け合成させた画像補正レベル制御信号により、前記画像処理装置への画像補正レベル制御バス信号を変化させることで、前記画像／ＯＳＤ信号の輝度レベルに応じた画質補正を行うことを特徴とするＯＳＤ表示受信機。
【請求項２】
画像信号にＯＳＤ信号を重畳させる画像／ＯＳＤ処理装置から出力される画像／ＯＳＤ信号を、画像処理装置により画質を整え、画像出力信号を得るＯＳＤ表示受信機において、
前記画像／ＯＳＤ処理装置からのＯＳＤフオント情報信号と前記画像／ＯＳＤ処理装置からのＯＳＤエリア情報信号とを比較する第１のＯＳＤ情報比較回路と、
前記画像／ＯＳＤ処理装置からのＯＳＤレベル情報信号と前記第１のＯＳＤ情報比較回路の比較結果とを比較する第２のＯＳＤ情報比較回路とを、
有し、
前記第２のＯＳＤ情報比較回路で得られたＯＳＤ情報検出信号を画像補正レベル制御回路で重み付け合成させた画像補正レベル制御信号により、前記画像処理装置への画像補正レベル制御バス信号を変化させることで、前記画像／ＯＳＤ信号のＯＳＤ大きさとＯＳＤ輝度レベルに応じた画質補正を行うことを特徴とするＯＳＤ表示受信機。
【請求項３】
画像信号にＯＳＤ信号を重畳させる画像／ＯＳＤ処理装置から出力される画像／ＯＳＤ信号を、画像処理装置により画質を整え、画像出力信号を得るＯＳＤ表示受信機において、
前記画像／ＯＳＤ信号の暗部面積を検出する暗部検出回路と、
前記画像／ＯＳＤ信号の明部面積を検出する明部検出回路と、
前記暗部検出回路の検出結果と前記明部検出回路の検出結果とを比較する第１の輝度レベル比較回路と、
前記画像／ＯＳＤ信号の黒面積を検出する黒検出回路と、
前記黒検出回路の検出結果と前記第１の輝度レベル比較回路の比較結果とを比較する第２の輝度レベル比較回路と、
前記画像出力信号の明るさを検出し、前記画像出力信号の明るさに応じて輝度レベルをコントロールするＡＢＬ回路と、
前記ＡＢＬ回路の検出結果と前記第２の輝度レベル比較回路の比較結果とを比較する第３の輝度レベル比較回路と、
前記画像／ＯＳＤ処理装置からのＯＳＤフオント情報信号と前記画像／ＯＳＤ処理装置からのＯＳＤエリア情報信号とを比較する第１のＯＳＤ情報比較回路と、
前記画像／ＯＳＤ処理装置からのＯＳＤレベル情報信号と前記第１のＯＳＤ情報比較回路の比較結果とを比較する第２のＯＳＤ情報比較回路とを、
有し、
前記第３の輝度レベル比較回路で得られた輝度レベル検出信号および前記第２のＯＳＤ情報比較回路で得られたＯＳＤ情報検出信号に基づき、画像補正レベル制御回路で重み付け合成させた画像補正レベル制御信号により、前記画像処理装置への画像補正レベル制御バス信号を変化させることで、前記画像／ＯＳＤ信号の輝度レベル、ＯＳＤ大きさ、ＯＳＤ輝度レベルに応じた画質補正を行うことを特徴とするＯＳＤ表示受信機。
【請求項４】
請求項３記載において、
前記第３の輝度レベル比較回路で得られた前記輝度レベル検出信号と、前記第２のＯＳＤ情報比較回路で得られた前記ＯＳＤ情報検出信号とを、比較する第１の制御レベル判定回路と、
前記画像／ＯＳＤ処理装置からのＩＰ変換回路で得られる動き量検出信号をカウントし、ある閾値より静止画／動画と判定する画像動き検出回路と、
前記第１の制御レベル判定回路の判定結果と前記画像動き検出回路の判定結果とを比較する第２の制御レベル判定回路とを、
有し、
前記第２の制御レベル判定回路で得られる重み付け合成された画像補正レベル制御信号により、前記画像処理装置への画像補正レベル制御バス信号を変化させることで、前記画像／ＯＳＤ信号の画像輝度レベル、ＯＳＤ大きさ、ＯＳＤ輝度レベル、動き量に応じた画質補正を行うことを特徴とするＯＳＤ表示受信機。
【発明の詳細な説明】
【０００１】
【発明の属する技術分野】
本発明は、画像信号を走査線変換し、ＯＳＤ（Ｏｎ  Ｓｃｒｅｅｎ  Ｄｉｓｐｌａｙ）信号を重畳させた画像／ＯＳＤ信号を画像処理するＯＳＤ表示受信機に関する。
【０００２】
【従来の技術】
図７に基づいて、従来のＯＳＤ表示受信機を説明する。図７は従来技術によるＯＳＤ表示受信機の要部構成を示すブロック図である。
【０００３】
画像信号にＯＳＤ信号を重畳させる画像／ＯＳＤ処理装置１から出力される画像／ＯＳＤ信号６は、画像処理装置２で画質補正される。画像／ＯＳＤ信号６は、黒伸長回路２０、暗部ガンマ回路２２、明部ガンマ回路２４、画質回路２６、コントラスト回路２７、黒レベル回路２８、ガンマ回路３０で画質補正され、画像出力信号１７を得るが、これらの画像処理装置２中の画質補正回路は、画像信号の輝度レベルに応じて自動的に最適補正する動作を行う。ここで、実際の画像信号はＯＳＤ信号が重畳されていない信号であるが、画像／ＯＳＤ処理装置１でＯＳＤが重畳された画像／ＯＳＤ信号６として、画像処理装置２で画質補正する構成となっている。
【０００４】
上記した従来技術は、本願発明の処理を施さない場合の一般的な画像処理方法の例を示したものであるが、本願発明の主旨に類似する従来技術としては、ＯＳＤ信号の大きさなどを検出することにより、クロマノイズを低減させ、これにより様々なＯＳＤ情報表示画面に応じて、画質状態を確保することができるものが知られている（例えば、特許文献１）。
【０００５】
この特許文献１に開示された技術と本願発明との相違点、および、本願発明の優位性について説明する。
【０００６】
特許文献１に記載された技術は、画像にＯＳＤが重畳されている信号の場合、ＯＳＤ信号の大きさ、数、精細度を検出することにより、ＯＳＤ信号をフイルタを介する系統に切り替え、クロマノイズを低減させる。そして、これにより、様々なＯＳＤ情報表示画面に応じて、常に好ましい画質状態を確保することができるものである。
【０００７】
これに対し本願発明は、画像にＯＳＤが重畳されている信号の場合、ＯＳＤ信号の大きさ、フオント（精細度）の２次元的要因の情報の他に、ＯＳＤ信号の輝度レベル情報（ＯＳＤレベル情報、すなわち、画像に埋め込んだＯＳＤか画像に重畳させたＯＳＤかの情報）を加味し、３次元的要因の情報でＯＳＤ情報を検出する手段を有する点で、相違がある。また、本願発明は、ＯＳＤ情報の検出手段だけでなく、ＯＳＤを表示させる背景画像の輝度レベル情報、動き情報をも、検出する手段を有し、背景画像に応じた最適な画像／ＯＳＤの画質を確保するようにした点でも、相違がある。ＯＳＤ信号には、画像に埋め込んだＯＳＤと、画像に重畳させるＯＳＤとがあるが、両者には輝度レベルの差異が存在する。つまり、前記背景画像の輝度レベル情報、前記動き情報で得られた情報は、画像情報であるが、これに前記画像に埋め込んだＯＳＤの場合と、前記画像に重畳させたＯＳＤの場合とでは、輝度レベル差が生じることにより正確な画像制御が出来なくなるが、本願発明による前記検出手段によって、背景画像状態・ＯＳＤ状態に応じた最適な画質を確保することが可能となる。
【０００８】
【特許文献１】
特開２００１−３４６０７２号公報
【０００９】
【発明が解決しようとする課題】
図７に示し上述した従来の構成では、画像／ＯＳＤ信号６を画像処理装置２で画質補正し、ＯＳＤ信号を画像信号と判断した画質補正がなされることにより、実際の画像信号５の画像に対して不適切な画質補正がなされ、黒レベルが浮くなどの画像信号５の劣化や、ＯＳＤ表示が見ずらいなどの画質劣化を生じる。この画質劣化は、ＯＳＤ信号の大きさや、画像信号５の輝度レベルにより、影響度が変化するが、これを図６を用いて説明する。
【００１０】
図６に示した画像パターン▲１▼はＯＳＤ面積小／フオント小／画像暗であり、画像パターン▲２▼はＯＳＤ面積大／フオント小／画像暗であり、両者のパターンが従来構成による画像処理装置２によって画質補正されると、画像パターン▲１▼は画像信号５部分の輝度レベルが若干浮き、画像パターン▲２▼は、画像信号５部分の輝度レベルが大きく浮くと共に、この輝度レベル変化に応じてＯＳＤ表示の見えやすさも変化し、さらに、画像信号５部分の輝度レベル変化に応じても変化してしまう。
【００１１】
一般的な画像処理装置２における黒伸長回路２０、暗部ガンマ回路２２、明部ガンマ回路２４、コントラスト回路２７、黒レベル回路２８は、画像信号５の１フイールド内における検出結果を用いて画像信号５に最適な輝度レベル補正を行い、画質回路２６、ガンマ回路３０は、画像信号５に応じた補正をしない静的な補正を行う。したがって、図６に示した画像パターン▲１▼〜▲４▼のようなＯＳＤ面積の如何により、１フイールドの検出結果が変化してしまい、また、同様に画像信号５部分の輝度レベルにより１フイールドの検出結果が変化してしまう。さらに、前記検出結果の輝度レベルが高い場合は、表示画面が明るくなることによる白つぶれによりフオーカス感が劣化する等、ＯＳＤ面積、ＯＳＤフオント、ＯＳＤ輝度レベル、画像信号輝度レベルにより、画像出力信号１７の画像信号、ＯＳＤ信号の画質劣化が生じる。
【００１２】
本発明は、上述した従来技術のもつ問題点を解決するためになされたものであり、画像／ＯＳＤ信号６のＯＳＤ面積、ＯＳＤフオント、ＯＳＤ輝度レベル、画像信号輝度レベルを検出することで、画像／ＯＳＤ信号６に最適な画質補正を施し、常に最良な画質で画像出力信号１７を得ることのできる、ＯＳＤ表示受信機を提供することを目的とする。
【００１３】
【課題を解決するための手段】
上記した目的を達成するため、本願による１つの発明では、画像信号にＯＳＤ信号を重畳させる画像／ＯＳＤ処理装置から出力される画像／ＯＳＤ信号を、画像処理装置により画質を整え、画像出力信号を得るＯＳＤ表示受信機において、
前記画像／ＯＳＤ信号の暗部面積を検出する暗部検出回路と、
前記画像／ＯＳＤ信号の明部面積を検出する明部検出回路と、
前記暗部検出回路の検出結果と前記明部検出回路の検出結果とを比較する第１の輝度レベル比較回路と、
前記画像／ＯＳＤ信号の黒面積を検出する黒検出回路と、
前記黒検出回路の検出結果と前記第１の輝度レベル比較回路の比較結果とを比較する第２の輝度レベル比較回路と、
前記画像出力信号の明るさを検出し、前記画像出力信号の明るさに応じて輝度レベルをコントロールするＡＢＬ回路と、
前記ＡＢＬ回路の検出結果と前記第２の輝度レベル比較回路の比較結果とを比較する第３の輝度レベル比較回路と、
前記画像／ＯＳＤ処理装置からのＯＳＤフオント情報信号と前記画像／ＯＳＤ処理装置からのＯＳＤエリア情報信号とを比較する第１のＯＳＤ情報比較回路と、
前記画像／ＯＳＤ処理装置からのＯＳＤレベル情報信号と前記第１のＯＳＤ情報比較回路の比較結果とを比較する第２のＯＳＤ情報比較回路とを、
有し、
前記第３の輝度レベル比較回路で得られた輝度レベル検出信号および前記第２のＯＳＤ情報比較回路で得られたＯＳＤ情報検出信号に基づき、画像補正レベル制御回路で重み付け合成させた画像補正レベル制御信号により、前記画像処理装置への画像補正レベル制御バス信号を変化させることで、前記画像／ＯＳＤ信号の輝度レベル、ＯＳＤ大きさ、ＯＳＤ輝度レベルに応じた画質補正を行う、
ように構成される。
また、本願による他の１つの発明では、さらに、
前記第３の輝度レベル比較回路で得られた前記輝度レベル検出信号と、前記第２のＯＳＤ情報比較回路で得られた前記ＯＳＤ情報検出信号とを、比較する第１の制御レベル判定回路と、
前記画像／ＯＳＤ処理装置からのＩＰ変換回路で得られる動き量検出信号をカウントし、ある閾値より静止画／動画と判定する画像動き検出回路と、
前記第１の制御レベル判定回路の判定結果と前記画像動き検出回路の判定結果とを比較する第２の制御レベル判定回路とを、
有し、
前記第２の制御レベル判定回路で得られる重み付け合成された画像補正レベル制御信号により、前記画像処理装置への画像補正レベル制御バス信号を変化させることで、前記画像／ＯＳＤ信号の画像輝度レベル、ＯＳＤ大きさ、ＯＳＤ輝度レベル、動き量に応じた画質補正を行う、
ように構成される。
【００１４】
【発明の実施の形態】
以下、図面に基づいて、本発明に係るＯＳＤ表示受信機の実施の形態を説明する。図１〜図６は本発明の一実施形態（以下、本実施形態と称す）に係り、図１は本実施形態のＯＳＤ表示受信機の要部構成を示すブロック図、図２は図１中の画像輝度レベル検出回路の詳細を示すブロック図、図３は図１中のＯＳＤ情報検出回路の詳細を示すブロック図、図４は図１中の画像補正レベル制御回路の詳細を示すブロック図、図５は本実施形態のアルゴリズム例を示す表図、図６は本実施形態と従来技術との性能差を示す説明図である。
【００１５】
本実施形態のＯＳＤ表示受信機は、図１に示すように、画像／ＯＳＤ処理装置１と、画像処理装置２と、画像制御装置３と、マイコン回路４とを、含んで構成されている。
【００１６】
画像／ＯＳＤ処理装置１は、ＩＰ変換回路１８と、ＯＳＤ混合回路１９とで、構成されている。
【００１７】
また、画像処理装置２は、黒伸長回路２０と、黒検出回路２１と、暗部ガンマ回路２２と、暗部検出回路２３と、明部ガンマ回路２４と、明部検出回路２５と、画質回路２６と、コントラスト回路２７と、黒レベル回路２８と、ＡＢＬ（Ａｕｔｏ  Ｂｒｉｇｈｔｎｅｓｓ  Ｌｉｍｉｔｅｒ）回路２９と、ガンマ回路３０とで、構成されている。
【００１８】
また、画像制御装置３は、画像輝度レベル検出回路３１と、画像動き検出回路３３と、ＯＳＤ情報検出回路３５と、画像補正レベル制御回路３７とで、構成されている。
【００１９】
画像／ＯＳＤ処理装置１に入力された画像信号５は、ＩＰ変換（インターレース→プログレッシブ変換）回路１８で走査線変換され、ＯＳＤ混合回路１９でＯＳＤ情報が重畳された画像／ＯＳＤ信号６とされて、画像処理装置２に出力される。
【００２０】
まず、画像制御装置３の画像輝度レベル検出回路３１について説明する。画像／ＯＳＤ信号６は、黒検出回路２１で１フイールド毎の黒検出（画像／ＯＳＤ信号６の黒面積の検出）動作が行われ、黒検出結果に応じて黒伸長回路２０を補正すると共に、黒検出信号１０を得る。また、暗部検出回路２３で１フイールド毎の暗部検出（画像／ＯＳＤ信号６の暗部面積の検出）動作が行われ、暗部検出結果に応じて暗部ガンマ回路２２を補正すると共に、暗部検出信号９を得る。また、明部検出回路２５で１フイールド毎の明部検出（画像／ＯＳＤ信号６の明部面積の検出）動作が行われ、明部検出結果に応じて明部ガンマ回路２４を補正すると共に、明部検出信号８を得る。明部ガンマ回路２４を通った画像／ＯＳＤ信号６は、画質回路２６、コントラスト回路２７、黒レベル回路２８、ガンマ回路３０でさらに画質補正される。なお、コントラスト回路２７、黒レベル回路２８は、１フイールド毎に画像出力信号１７の明るさのレベル検出を行うＡＢＬ回路２９により補正され、この画像出力信号１７の明るさに応じて輝度レベルの補正を行うＡＢＬ回路２９から、画像出力信号１７の明るさのレベルを示すＡＢＬ検出信号７を得る。
【００２１】
これらの画像輝度レベル検出動作により得られた黒検出信号１０、暗部検出信号９、明部検出信号８、ＡＢＬ検出信号７を、画像輝度レベル検出回路３１に入力し、画像輝度レベルの検出結果として、画像輝度レベル検出信号３２を得るようになっている。
【００２２】
この画像輝度レベル検出信号３２を出力する画像輝度レベル検出回路３１の構成を示したのが図２で、図２の画像輝度レベル検出回路３１中において、４０は第１の輝度レベル比較回路、４２は第２の輝度レベル比較回路、４４は第３の輝度レベル比較回路である。
【００２３】
暗部検出信号９と明部検出信号８を第１の輝度レベル比較回路４０に入力して、比較結果の輝度レベル検出信号「１」４１を得、黒検出信号１０と輝度レベル検出信号「１」４１を第２の輝度レベル比較回路４２に入力して、比較結果の輝度レベル検出信号「２」４３を得、ＡＢＬ検出信号７と輝度レベル検出信号「２」４３を第３の輝度レベル比較回路４４に入力して、比較結果の画像輝度レベル検出信号３２を得、これにより、画像輝度レベル検出回路３１は、画像輝度レベルの検出結果として画像輝度レベル検出信号３２を出力するようになっている。
【００２４】
画像輝度レベル検出回路３１による比較検出のアルゴリズム例を、図５の▲１▼に示す。図５では、便宜上数値表現で表わしているが、実際の構成は直流電圧の閾値やデジタル処理で実現することができる。第１の輝度レベル比較回路４０に入力される暗部検出信号９は、暗い信号、中間信号、明るい信号に閾値設定されており、同様に、明部検出信号９も、暗い信号、中間信号、明るい信号に閾値設定されている。例えば、暗部検出信号９が「暗」、明部検出信号８が「暗」であれば、‘０’の結果を得る。結果は‘０’〜‘２’の３段階表現をしており、‘０’程暗く、‘２’程明るいという閾値表現結果が得られる。同様に、第２の輝度レベル比較回路４２、第３の輝度レベル比較回路４４でも同様の動作をし、これにより、第３の輝度レベル比較回路４４によって最終的に輝度レベル検出信号３２が得られる。
【００２５】
次に、画像制御装置３のＯＳＤ情報検出回路３５について説明する。ＯＳＤ混合回路１９で合成されるＯＳＤ情報として、ＯＳＤフオント情報信号１２、ＯＳＤエリア情報信号１３、ＯＳＤレベル情報信号１４をＯＳＤ情報検出回路３１に入力し、ＯＳＤ情報の検出結果として、ＯＳＤ情報検出信号３６を得るようになっている。
【００２６】
このＯＳＤ情報検出信号３６を出力するＯＳＤ情報検出回路３５の構成を示したのが図３で、図３のＯＳＤ情報検出回路３５中において、４５は第１のＯＳＤ情報比較回路、４７は第２のＯＳＤ情報比較回路である。
【００２７】
ＯＳＤフオント情報信号１２とＯＳＤエリア情報信号１３を第１のＯＳＤ情報比較回路４５に入力して、比較結果のＯＳＤ情報検出信号「１」４６を得、ＯＳＤレベル情報信号１４とＯＳＤ情報検出信号「１」４６を第２のＯＳＤ情報比較回路４７に入力して、比較結果のＯＳＤ情報検出信号３６を得、これにより、ＯＳＤ情報検出回路３５は、ＯＳＤ情報の検出結果としてＯＳＤ情報検出信号３６を出力するようになっている。
【００２８】
ＯＳＤ情報検出回路３５による比較検出のアルゴリズム例を、図５の▲２▼に示す。図５では、便宜上数値表現で表わしているが、実際の構成は直流電圧の閾値やデジタル処理で実現することができる。第１のＯＳＤ情報比較回路４５に入力されるＯＳＤフオント情報信号１２は、小さい信号、中間信号、大きい信号に閾値設定されており、同様に、ＯＳＤエリア情報信号１３も、小さい信号、中間信号、大きい信号に閾値設定されている。例えば、ＯＳＤフオント情報信号１２が「小」、ＯＳＤエリア情報信号１３が「小」であれば、‘０’の結果を得る。結果は‘０’〜‘４’の５段階表現をしており、‘０’程小さく、‘４’程大きいという閾値表現結果が得られる。
【００２９】
第２のＯＳＤ情報比較回路４７には、ＯＳＤ情報検出信号「１」４６とＯＳＤレベル情報信号１４を入力し、比較結果として、ＯＳＤ情報の検出結果としてのＯＳＤ情報検出信号３６を得るが、ＯＳＤレベル情報信号１４は画像信号５に埋め込まれたＯＳＤの場合をＢＬＫ、加算されたＯＳＤの場合をＨＦとする閾値表現で処理され、ＨＦよりＢＬＫの方が明るい画面のため、ＨＦの場合は１ポイント下げた結果を得る。
【００３０】
次に、画像制御装置３の画像動き検出回路３３について説明する。画像信号５をＩＰ変換回路１８で走査線変換する際に得られる動き量検出信号１１を、画像動き検出回路３３に入力する。動き量検出信号１１は画素単位での情報であるため、１フイールド内で静止画寄りの信号であるか、又は動画寄りの信号であるか、閾値を設定したカウンターでカウントし、これによって、静止画、動画の２値判定結果を、画像動き量検出信号３４として得るようになっている。
【００３１】
次に、画像処理装置３の画像補正レベル制御回路３７について説明する。前記画像輝度レベル検出信号３２と前記ＯＳＤ情報検出信号３６と前記画像動き量検出信号３４とを、画像補正レベル制御回路３７に入力し、画質補正レベル制御結果として、画像補正レベル制御信号１５を得るようになっている。
【００３２】
この画像補正レベル制御信号１５を出力する画像補正レベル制御回路３７の構成を示したのが図４で、図４の画像補正レベル制御回路３７中において、５０は第１の制御レベル判定回路、５２は第２の制御レベル判定回路である。
【００３３】
前記画像輝度レベル検出信号３２と前記ＯＳＤ情報検出結果３６を第１の制御レベル判定回路５０に入力して、比較結果の制御レベル判定信号「１」５１を得、前記動き量検出信号３４と制御レベル判定信号「１」５１を第２の制御レベル判定回路５２に入力して、比較結果の画像補正レベル制御信号１５を得、これによって、第２の制御レベル判定回路５２は、画質制御結果として画像補正レベル制御信号１５を出力するようになっている。
【００３４】
画像補正レベル制御回路３７による比較検出のアルゴリズム例を、図５の▲３▼に示す。図５では、便宜上数値表現で表わしているが、実際の構成は直流電圧の閾値やデジタル処理で実現することができる。第１の制御レベル判定回路５０に入力されるＯＳＤ情報検出信号３６は、ＯＳＤの大きさと輝度レベル情報とを含んでおり、‘０’〜‘４’の５段階に閾値設定されており、‘０’程小さく暗く、‘４’程大きく明るい閾値である。同様に、画像輝度レベル検出信号３２も、‘０’〜‘２’の３段階に閾値設定されており、‘０’程暗く、‘２’程明るい閾値である。例えば、ＯＳＤ情報検出信号３６が‘０’、画像輝度レベル検出信号３２が‘０’であれば、制御レベル判定信号「１」５１として‘０’の結果を得るようになっている。結果は‘０’〜‘１４’の１５段階表現をしており、０程ＯＳＤ小さく且つＯＳＤ暗く且つ輝度レベル暗い、という閾値表現結果が得られる。
【００３５】
第２の制御レベル判定回路５２には、前記画像動き量検出信号３４と上述した１５段階のパターン結果である制御レベル判定信号「１」５１とを入力して、静止画であれば、制御レベル判定信号「１」５１を画像補正レベル制御信号１５として、マイコン回路４に出力して、画像補正レベル制御信号１５で得られる１５段階パターンに応じた画質補正制御を実施し、動画であれば画質補正制御を実施しない処理を行う。
【００３６】
マイコン回路４は、上述した１５段階のパターン結果である画像補正レベル制御信号１５が入力されてきた場合には、上述した１５段階のパターンに応じた画質補正を実施するために、画像補正レベル制御バス信号１６により、黒伸長回路２０、暗部カンマ回路２２、明部ガンマ回路２４、画質回路２６、コントラスト回路２７、黒レベル回路２８、ガンマ回路３０の画質補正制御を行う。
【００３７】
また、マイコン回路４は、動画であると判定された場合には、シーン変化が激しいことが予想され、輝度レベルが頻繁に変化する可能性があるため、これにリアルタイムに追従した画質補正を行うと、誤動作や、リアルタイムな画面輝度変化が発生し、安定した画面を提供できなくなるため、動き量検出信号３４を用いた処理を実施するようになっている。
【００３８】
以上の動作から、ＯＳＤ信号が重畳されている画像信号を画質処理を施して表示させる受信機において、画像輝度レベル検出結果とＯＳＤ情報検出結果と画像動き量検出結果とを複合したきめ細かい判定処理によって、適応的な画質制御を施す処理を行うため、従来技術の欠点を克服することが可能であり、画像輝度レベルやＯＳＤ状態によらず、常に良好な画像・ＯＳＤの画質を得ることが出来るＯＳＤ表示受信機を実現することが可能となる。
【００３９】
図６に、本実施形態（本発明）による効果を、従来技術と比較した図を示す。画像／ＯＳＤ信号の画像パターン▲１▼は、ＯＳＤ面積小／フオント小／画像暗であり、画像パターン▲２▼は、ＯＳＤ面積大／フオント小／画像暗であり、従来の構成では実際の画像信号５の画像が不適切な画質補正がなされ、黒レベルが浮くなどの画像信号５の劣化や、ＯＳＤ表示が見ずらいなどの画質劣化を生じるが、本実施形態（本発明）では、ＯＳＤ面積、ＯＳＤフオント、ＯＳＤ輝度レベル、画像信号輝度レベルを検出し、検出結果に応じた画質補正を施すことで、常に最良な画質の画像出力信号１７を得るＯＳＤ表示受信機を実現することができる。
【００４０】
【発明の効果】
以上のように本発明によれば、画像信号にＯＳＤ信号を重畳させる画像／ＯＳＤ処理装置から出力される画像／ＯＳＤ信号を、画像処理装置により画質を整え、画像出力信号を得るＯＳＤ表示受信機において、画像輝度レベル検出結果に応じて、前記画像処理装置への画像補正レベル制御バス信号に対して、前記輝度レベル検出結果を画像補正レベル制御回路で重み付け合成させた画像補正レベル制御信号により、前記画像補正レベル制御バス信号を変化させることで、前記画像／ＯＳＤ信号の輝度レベルに応じた画質補正を行うことができる。
【００４１】
また、ＯＳＤ情報検出結果に応じて、前記画像処理装置への画像補正レベル制御バス信号に対して、前記ＯＳＤ情報検出結果を画像補正レベル制御回路で重み付け合成させた画像補正レベル制御信号により、前記画像補正レベル制御バス信号を変化させることで、前記画像／ＯＳＤ信号のＯＳＤ大きさとＯＳＤ輝度レベルに応じた画質補正を行うことができる。
【００４２】
また、画像輝度レベル検出結果とＯＳＤ情報検出結果に応じて、前記画像処理装置への画像補正レベル制御バス信号に対して、画像補正レベル制御回路で重み付け合成させた画像補正レベル制御信号により、前記画像補正レベル制御バス信号を変化させることで、前記画像／ＯＳＤ信号の輝度レベルとＯＳＤ大きさとＯＳＤ輝度レベルに応じた画質補正を行うことができる。
【００４３】
また、画像輝度レベル検出結果とＯＳＤ情報検出結果と画像動き量検出結果とに応じて、前記画像処理装置への画像補正レベル制御バス信号に対して、前記画像補正レベル制御回路で重み付け合成された画像補正レベル制御信号により、前記画像補正レベル制御バス信号を変化させることで、前記画像／ＯＳＤ信号の画像輝度レベルとＯＳＤ大きさとＯＳＤ輝度レベルと動き量に応じた画質補正を行うことができる。
【図面の簡単な説明】
【図１】本発明の一実施形態に係るＯＳＤ表示受信機の要部構成を示すブロック図である。
【図２】図１中の画像輝度レベル検出回路の詳細を示すブロック図である。
【図３】図１中のＯＳＤ情報検出回路の詳細を示すブロック図である。
【図４】図１中の画像補正レベル制御回路の詳細を示すブロック図である。
【図５】本発明の一実施形態に係るＯＳＤ表示受信機におけるアルゴリズム例を示す表図である。
【図６】本発明の一実施形態に係るＯＳＤ表示受信機と従来技術のＯＳＤ表示受信機との性能差を示す説明図である。
【図７】従来技術のＯＳＤ表示受信機の要部構成を示すブロック図である。
【符号の説明】
１  画像／ＯＳＤ処理装置
２  画像処理装置
３  画像制御装置
４  マイコン回路
５  画像信号
６  画像／ＯＳＤ信号
７  ＡＢＬ検出信号
８  明部検出信号
９  暗部検出信号
１０  黒検出信号
１１  動き量検出信号
１２  ＯＳＤフオント情報信号
１３  ＯＳＤエリア情報信号
１４  ＯＳＤレベル情報信号
１５  画像補正レベル制御信号
１６  画像補正レベル制御バス信号
１７  画像出力信号
１８  ＩＰ変換回路
１９  ＯＳＤ混合回路
２０  黒伸長回路
２１  黒検出回路
２２  暗部ガンマ回路
２３  暗部検出回路
２４  明部ガンマ回路
２５  明部検出回路
２６  画質回路
２７  コントラスト回路
２８  黒レベル回路
２９  ＡＢＬ回路
３０  ガンマ回路
３１  画像輝度レベル検出回路
３２  画像輝度レベル検出信号
３３  画像動き量検出回路
３４  画像動き量検出信号
３５  ＯＳＤ情報検出回路
３６  ＯＳＤ情報検出信号
３７  画像補正レベル制御回路
４０  第１の輝度レベル比較回路
４１  輝度レベル検出信号「１」
４２  第２の輝度レベル比較回路
４３  輝度レベル検出信号「２」
４４  第３の輝度レベル比較回路
４５  第１のＯＳＤ情報比較回路
４６  ＯＳＤ情報検出信号「１」
４７  第２のＯＳＤ情報比較回路
５０  第１の制御レベル判定回路
５１  制御レベル判定信号「１」
５２  第２の制御レベル判定回路
【図１】
2004221750.tif 000003
【図２】
2004221750.tif 000004
【図３】
2004221750.tif 000005
【図４】
2004221750.tif 000006
【図５】
2004221750.tif 000007
【図６】
2004221750.tif 000008
【図７】
2004221750.tif 000009